【手続補正書】
【提出日】平成15年6月11日(2003.6.11)
【手続補正１】
【補正対象書類名】明細書
【補正対象項目名】特許請求の範囲
【補正方法】変更
【補正の内容】
【特許請求の範囲】
【請求項１】
使用時に逆相で振動させられる流管（１０１）とバランス・バー（１０２）とを有するコリオリ流量計の出力データに対する補償を提供し、前記流量計が、振動する前記流管を通る物質の流れに応答して該流管のコリオリ偏差を生成する方法であって、
前記の振動流管のコリオリ偏差を表わす第１の信号（ＬＰＯ、ＲＰＯ）を生成するステップと、
前記流管の温度を表わす第２の信号（Ｓ１）を生成するために前記流管に熱的に結合されたセンサを動作させるステップと、
を備える方法において、
前記流管を除く複数の追加の流量計要素に熱的に結合された追加のセンサを動作させて、前記流量計の前記複数の追加の要素（１０２、１０３）の合成温度を表す第３の信号（Ｓ２、Ｓ３、Ｓ４）を生成するステップであって、前記第３の信号が、前記流量計の計器電子回路に前記第３の信号を伝える出力を有する回路網を形成するよう前記追加のセンサの出力を接続することによって生成されるステップと、
前記第２の信号と前記第３の信号とを用いて、前記複数の流量計要素によって前記流管に加わる熱応力に関する情報を導出するステップと、
前記の熱応力に関する前記情報と前記第１の信号とを用いて、前記流量計を流れる前記物質に関する前記出力データを補償するステップと、
を含む方法。
【請求項２】
前記第２の信号を生成するステップが、前記流管ヘ結合されたセンサから前記流管の温度を表す信号を取得するステップを含み、
前記第３の信号を生成する前記ステップが、
全部の前記複数の追加の要素によって前記流量計に加えられる熱応力に対するそれぞれの関連する流量計要素によって加えられる応力に比例して、前記追加のセンサの出力が前記第３の信号の大きさに貢献するように、前記追加のセンサの出力を結合するステップと、
回路網を形成するよう前記追加のセンサの出力を接続するステップ１３２、１３３と、
前記追加のセンサにより印加される前記信号の前記回路網による受け取りに応答して、複数の前記要素の合成温度を表わす前記回路網の出力から前記第３の信号を取得するステップと、
を含む、請求項１記載の方法。
【請求項３】
複数の前記要素が、前記バランス・バーと筺体とを含み、
前記追加のセンサを結合する前記ステップが、
第１のセンサ（Ｓ４）を前記筺体へ結合するステップと、
少なくとも１つのセンサ（Ｓ２、Ｓ３）を前記バランス・バーへ結合するステップと、
前記回路網を形成するよう、前記第１のセンサと少なくとも１つの前記追加のセンサとの出力を接続するステップと、
を含む、請求項２記載の方法。
【請求項４】
前記回路網を少なくとも２つの導線（１３２、１３４）により前記流量計電子装置へ延長するステップを含む、請求項３記載の方法。
【請求項５】
使用時に駆動面内において逆相で振動させられる流管とバランス・バーとを有するコリオリ流量計の出力データに対する熱応力補償を行う装置であって、前記流量計が、振動する前記流管を通る物質の流れに応答して該振動する流管のコリオリ偏差を生成する装置であって、
前記振動する流管のコリオリ偏差を表わす第１の信号を生成する装置と、
前記流管に固定されたセンサを含み、前記流管の温度を表わす第２の信号を生成する装置と、
を具備する装置において、
前記流管を除く複数の追加の流量計要素に熱的に結合された追加のセンサを含み、前記複数の追加の要素の合成温度をを表わす第３の信号を生成する装置であって、前記第３の信号が、前記第３の信号を前記流量計の計器電子装置に伝える出力を有する回路網を形成するよう前記追加のセンサの出力を組み合わせることによって生成される装置と、
前記第２の信号、前記第３の信号、及び、関連する複数の追加の流量計要素によって前記流管に加えられる熱応力に関する装置情報を受け取る前記流量計電子装置と、
を備え、前記流量計電子装置が、前記第１の信号と前記の熱応力に関する装置情報とを用いて前記の流動する物質に関する前記流量計の出力データを補償する装置。
【請求項６】
前記第２の信号を生成する前記装置が、
前記流管へ結合された第１のセンサと、
前記第１のセンサからの信号を前記流量計電子装置へ送り、前記流管の温度を示す回路と、
を含み、
前記第３の信号を生成する前記装置が、前記第３の信号を前記追加のセンサから前記計器電子装置へ送り、前記流管の前記複数の追加の要素の合成温度を示す回路網を含み、
前記回路網が、前記複数の追加の要素によって前記流管に加えられる全熱応力に対するそれぞれの関連する複数の追加の流量計要素によって加えられる応力に比例して、それぞれの前記追加のセンサの出力が前記第３の信号の大きさに貢献するように構成され、
前記計器電子装置が、前記流管温度と前記合成温度との間の差を決定して、前記複数の追加の要素により前記流管へ加えられる熱応力を決定する、
請求項５記載の装置。
【請求項７】
前記複数の追加の要素がバランス・バーと筺体とを含み、
前記追加のセンサのうちの第１のセンサが前記筺体へ結合され、前記追加のセンサのうちの少なくとも１つが前記バランス・バーへ結合される、請求項６記載の装置。
【請求項８】
前記追加のセンサを直列に接続して前記回路網を形成する回路と、
前記回路網の出力を少なくとも２つの導体を介して前記計器電子装置に接続される回路と、
を更に備える、請求項７記載の装置。
【請求項９】
前記追加のセンサが、
それぞれ前記バランス・バーの異なる場所へ結合された第２の追加のセンサ及び第３の追加のセンサと、
前記筺体へ結合された第４の追加のセンサと、
を含み、
前記回路網が、前記の第２、第３及び第４の追加のセンサの出力の前記直列接続を前記流量計電子装置へ送って、前記の第２、第３及び第４の追加のセンサが熱的に結合される部分であって前記筺体と前記バランス・バーの部分の合成温度に関する情報を提供する、
請求項８記載のコリオリ流量計。
【請求項１０】
前記第２の追加のセンサが前記バランス・バーの軸方向端部付近にあり、
前記第３の追加のセンサが、前記第２の追加のセンサが結合される前記バランス・バーの前記軸方向端部に関して前記バランス・バーの軸方向内側の部分へ結合され、
前記第４の追加のセンサが前記筺体の内壁面へ接続される、請求項９記載のコリオリ流量計。
【請求項１１】
それぞれの前記追加のセンサが第１及び第２の出力端子を持ち、
前記回路網へ印加された信号が前記の第２、第３及び第４の追加のセンサの信号出力の合成を表わすように、前記の第２、第３及び第４の追加のセンサの前記信号出力の前記直列接続が、前記回路網に対し直列に前記の第２、第３及び第４の追加のセンサの前記第１と第２の出力端子を接続する、
請求項８記載のコリオリ流量計。
【請求項１２】
前記回路網が、前記の第２、第３及び第４の追加のセンサの前記信号出力の前記直列接続と前記流量計電子装置との間に延びる２つの導線からなる第１の回路を含み、
前記回路網が、前記流管へ結合された前記第１のセンサから前記流量計電子装置へ延びる２つの導線からなる第２の回路を更に含む、
請求項１１記載のコリオリ流量計。
【請求項１３】
前記第１のセンサの前記信号出力を前記計器電子装置に接続する前記第２の回路が、前記第１の回路の前記２つのワイヤの一方と、前記第２の回路に対し一義的である別のワイヤとを含む、
請求項１２記載のコリオリ流量計。
【請求項１４】
３つの導線が、前記第１及び第２の回路の前記信号出力を前記流量計電子装置と接続し、
前記３つの導線のうちの第１の導線が前記第１の回路に対し一義的であり、
前記３つの導線のうちの第２の導線が前記第２の回路に対し一義的であり、
前記３つの導線のうちの第３の導線が前記第１の回路と前記第２の回路とに共通である、
請求項１３記載のコリオリ流量計。
【請求項１５】
前記流量計電子装置が、前記計器電子装置内のプロセッサに対して、
未補償の質量流量を決定し、
弾性率補償を導出し、
熱応力補償を導出し、
前記未補償の質量流量と前記弾性率補償と前記熱応力補償とを用いて、補正された質量流量を導出する
ことにより、補償された前記出力データを生成させるよう指令するための命令でプログラムされ、
前記流量計電子装置が、前記命令を格納するため前記プロセッサにより読取り可能なメモリを有する、
請求項５記載の装置。
【請求項１６】
前記補正された質量流量が、前記未補償の質量流量に、（１＋前記熱応力補償）と（１＋前記弾性率補償）とを乗じることにより得られ、
前記補正された質量流量が、
密度補償を導出し、
前記未補償の質量流量に、（１＋前記応力補償）と（１＋前記弾性率補償）と（１＋前記密度補償）とを乗じて、補正された質量流量を取得する、
ことを特徴とする、請求項１５記載の装置。
【請求項１７】
前記命令が、式ＦＣＦ・（Δｔmeas−Δｔ0）を解くことにより前記未補償の質量流量を生成することを特徴とする、請求項１５記載の装置。但し、
ＦＣＦは、流量計校正係数
Δｔmeasは、ピックオフ信号の時間遅延
Δｔ0は、物質流量ゼロでの時間遅延
である。
【請求項１８】
前記弾性率補償を導出する前記命令が、式（ｋft1・Ｔf）を解くことを特徴とする請求項１５記載の装置。但し、
ｋft1は、温度による流管弾性率の変化に基く流量計定数
Ｔfは、流管温度
である。
【請求項１９】
前記熱応力補償を導出する前記命令が、式（ｋft2（Ｔf−Ｔcom））を解くことを特徴とする、請求項１５記載の装置。但し、
ｋft2は、温度による熱応力の変化に基く流量計定数
Ｔfは、流管温度
Ｔcomは、回路網センサの合成温度
である。
【請求項２０】
前記密度補償を導出する前記命令が、式ｋft3・（τct−ｋ2）を解くことを特徴とする、請求項１５記載の装置。但し、
ｋft3は、物質流量に対する密度の影響に対する定数
τctは、温度補償及び応力補償された管振動周期
ｋ2は、流量計の密度校正期間に決定される管振動周期定数
である。
【請求項２１】
前記流量計電子装置が、該流量計電子装置におけるプロセッサに、前記物質の密度に関する補正された出力データを生成するよう指令するための命令でプログラムされ、
前記流量計電子装置が、前記命令を格納するため前記プロセッサにより読出し可能なメモリを有する、
請求項５記載の装置。
【請求項２２】
前記命令が、
メモリからの定数を入力するよう前記流量計を構成し、
定数を得るよう前記流量計を校正し、
未補償の流量を決定し、
流量について補正された補償済み管周期を決定し、
流量、弾性率及び応力について補正された管周期を決定し、
線形密度式を決定し、
前記補償済みの管周期と、前記流量計の密度校正期間に決定される流量計定数ｋ2との間の差に等しい管周期差を決定し、
前記線形密度式に、（１＋流量計定数ｃ3×前記管周期差の２乗＋流量計定数ｃ4×前記管周期差）を乗じる
ことにより、密度に関する補正された出力データを取得する、請求項２１記載の装置。
【請求項２３】
前記命令が、Δｔmeas、Δｔ0及びτmを計測するステップを実行することにより、
及び、
【数１】
2003503723.tif 000001
を決定することにより、
前記物質の密度に関する補正された出力データを導出する請求項２１記載の装置。但し、
Δｔmeasは、ピックオフ信号の時間遅延
Δｔ0は物質流量ゼロでの時間遅延
τmは、生の計測された管振動周期
ＦＣＦは、流量校正係数
Δｔmeasは、ピックオフ信号の時間遅延
Δｔ0は、流量ゼロでの時間遅延
である。
【請求項２４】
前記命令が、式
【数２】
2003503723.tif 000002
を計算することにより、前記物質の密度に関する補正された出力データを導出する、請求項２１記載の装置。但し、
τcpは、弾性率、応力及び流量について補償された管振動周期
τfdは、質量流量効果について補償された管振動周期
ａ1及びａ2は、弾性率及び応力に対する管振動周期の温度補正定数
τfdは、
【数３】
2003503723.tif 000003
で表される、質量流量に対する管振動周期補償
τm＝生の計測された管振動周期
【外１】2003503723.tif 000004
は、質量流量
Ｆdは、密度の流量効果定数
である。
【請求項２５】
前記命令が、線形密度式
【数４】
2003503723.tif 000005
により決定される密度から物質密度の偏差を計算することにより、該物質の密度に関する補正された出力データを導出する、請求項２１記載の装置。但し、
ｃ1及びｃ2は定数、
τ2cpは、補償された周期の２乗
である。
【請求項２６】
前記物質の密度に関する補正された出力データを導出する前記ステップが、線形成分を表わす式
【数５】
2003503723.tif 000006
に、非線形成分を表わす式
【数６】
2003503723.tif 000007
を乗じるステップと、
式
【数７】
2003503723.tif 000008
から前記物質の密度を計算するステップと、
を含む、請求項２５記載の装置。但し、
ρmは、決定された物質密度
ｋ2は、物質密度の校正期間に決定される管振動周期定数
ｃ3及びｃ4は、単管物質密度補正定数
τcpは、補償された周期
ｃ1及びｃ2は、定数
である。
【請求項２７】
前記命令が、式
【数８】
2003503723.tif 000009
を解くことにより、密度に関する補正された出力データを生成する、請求項２１記載の装置。但し、
Ｄｅｎｓｉｔｙ＝ρm＝ｃ1・τ2ｃｐ―ｃ2であり、
項ΔＰｅｒｉｏｄcompは、（温度、応力及び流量に対する）補償された管周期τcpと密度校正期間に決定された管周期定数ｋ2との差である。
【請求項２８】
密度に関する補正された出力データを得る前記命令が、
補償された管周期を決定し、
線形密度式を決定し、
前記補償された管周期と前記流量計の密度校正期間に決定される流量計定数ｋ2との間の差に等しい管周期差を決定し、
前記線形密度式に、（１＋流量計定数ｃ3×前記管周期差の２乗＋流量計定数ｃ4×前記管周期差）を乗じる
ための命令を含む、請求項２１記載の装置。
【請求項２９】
前記命令が、式
【数９】
2003503723.tif 000010
を解くことにより、τcpの値を決定する、請求項２６及び２７のうちのいずれか一つに記載の装置。但し、
ａ1・Ｔfは、密度効果に対する弾性率効果
Ｔf−Ｔcomは、密度に対する熱応力効果
ａ1及びａ2は、密度に関する流量計定数
である。